(57)【要約】【課題】降車時のドア開放時の視界を確保することができる車両のミラー制御装置を提供する。【解決手段】サイドミラー位置記憶装置２は、予め、ドアの開放軌跡及びその軌跡上にある障害物を視認しやすいミラー方向、すなわち降車確認方向を記憶する。サイドミラー制御装置３は、降車動作検出部１からの各種検知信号、スイッチオンオフ信号に従って、乗員が降車しようとする動作、あるいは及びその予備動作があったか否かを判別し、乗員が降車しようとすると、サイドミラー位置記憶装置２に記憶されている降車確認方向にサイドミラーの鏡面を動かすべく、サイドミラー駆動装置４を駆動制御する。【選択図】  図１
2009143333.tif 000002
【特許請求の範囲】
【請求項１】
車両の所定位置に設けられたサイドミラーの鏡面を上下左右に駆動するミラー駆動手段と、
車両の状態を検知する車両状態検知手段と、
前記車両状態検知手段により検知された車両状態に基づいて、乗員が降車しようとしているか否かを判別する判別手段と、
前記判別手段により乗員が降車しようとしている判別された場合、前記ミラー駆動手段を駆動制御し、前記サイドミラーの鏡面を、ドア周辺の視界を確保可能な降車確認方向に動かすミラー制御手段と
を備えることを特徴とする車両のミラー駆動制御装置。
【請求項２】
前記車両状態検知手段は、降車時に操作される降車意思確認スイッチが乗員によって操作されたか否かを検知することを特徴とする請求項１記載の車両のミラー駆動制御装置。
【請求項３】
前記車両状態検知手段は、車両のドアを開閉するためのインナードアハンドルが乗員によって操作されたか否かを検知することを特徴とした請求項１記載の車両のミラー駆動制御装置。
【請求項４】
前記車両状態検知手段は、車両のエンジンを始動させるためのイグニッションが乗員によって操作されたか否かを検知することを特徴とする請求項１記載の車両のミラー駆動制御装置。
【請求項５】
前記車両状態検知手段は、車両を駐車させる際に４輪に制動をかけるサイドブレーキが乗員によって操作されたか否かを検知することを特徴とする請求項１記載の車両のミラー駆動制御装置。
【請求項６】
前記車両状態検知手段は、車両のミッションギア比を変えるためのシフトレバーが所定のポジションにあるか否かを検知することを特徴とする請求項１記載の車両のミラー駆動制御装置。
【請求項７】
前記ミラー制御手段は、前記ミラー駆動手段によりサイドミラーの鏡面を動かすと危険であると判断された場合には、前記ミラー駆動手段による駆動を禁止することを特徴とする請求項１乃至６のいずれかに記載の車両のミラー駆動制御装置。
【発明の詳細な説明】
【技術分野】
【０００１】
本発明は、車両の降車時にドアが車外の障害物と接触することを防止する車両のミラー駆動制御装置に関する。
【背景技術】
【０００２】
従来の自動車のドアは、蝶番を有し、車室外方向に開くタイプ（以下、ヒンジドア）が多く、開放時の不注意によって、車両近傍の障害物と接触してドアに傷がついたり、走行中の他の車両と接触して事故の原因ともなっている。これは、乗員が降車時にドア及び障害物を視認できないために起こる。
【０００３】
最近では、サイドミラー内のカメラで車両の後側方の死角を視認できる装置も普及しているが、駐車時や左折時の死角補助が目的であり、降車時のようにエンジンが停止している状態では、バッテリー残量の問題があり、長時間の動作が難しいという問題がある。
【０００４】
そこで、従来技術として、運転者が降車し、ドアを閉めてからサイドミラーを格納することで、運転者の降車時にサイドミラーによって後方の視界を確保する技術が提案されている（例えば、特許文献１参照）。
【０００５】
また、運転者の降車時にドアの開放角度に応じてサイドミラーをドアの回転方向とは逆向きに回転させ後方の視界を確保するとともに、後方に衝突しそうなものが接近するとドアを開けにくくする技術が提案されている（例えば、特許文献２参照）。
【０００６】
また、後席用のサイドミラーを新設し、ロック/アンロックにより格納/展開を制御する際に、後席ドアがロックされると格納し、アンロックされると展開する技術が提案されている（例えば、特許文献３参照）。
【０００７】
また、リバース連動ミラーの制御にドア開閉状態をトリガにしたもの。ドアの開閉により運転者が交替したかを判断し、ドアが開閉したらリバース連動ミラーの駆動をキャンセルする技術が提案されている（例えば、特許文献４参照）。
【特許文献１】特開２００６−１０３４７２号公報
【特許文献２】特開２００５−３２４５７４号公報
【特許文献３】特開平８−１９２６８３号公報
【特許文献４】特開平６−２７０７４１号公報
【発明の開示】
【発明が解決しようとする課題】
【０００８】
しかしながら、従来技術（特許文献１）では、単にミラー格納のタイミングを変えただけであり、ミラー鏡面の駆動については記載されておらず、ドアが側方にある障害物と衝突することを回避できないという問題がある。
【０００９】
また、従来技術（特許文献２）では、後方の視界を確保するだけで、ドアが側方にある障害物と衝突することを回避できないという問題がある。
【００１０】
また、従来技術（特許文献３）では、サイドミラー格納のトリガをロックにより行うだけで、降車時の視界を確保することができないという問題がある。
【００１１】
また、従来技術（特許文献４）では、ドア開閉をトリガとしてミラー駆動を制御するが、走行中に限るものであるため、降車時の視界を確保することができないという問題がある。
【００１２】
そこで本発明は、降車時におけるドア開放時の視界を確保することができる車両のミラー駆動制御装置を提供することを目的としている。
【課題を解決するための手段】
【００１３】
本発明に係る車両のミラー駆動制御装置は、車両の所定位置に設けられたサイドミラーの鏡面を上下左右に駆動するミラー駆動手段と、車両状態を検知する車両状態検知手段と、前記車両状態検知手段により検知された車両状態に基づいて、乗員が降車しようとしているか否かを判別する判別手段と、前記判別手段により乗員が降車しようとしている判別された場合、前記ミラー駆動手段を駆動制御し、前記サイドミラーの鏡面を、ドア周辺の視界を確保可能な方向に動かすミラー制御手段とを備えることを特徴とする。
【００１４】
ここで、車両状態とは、少なくとも乗員の降車時に伴う操作によって検知可能な車両の状態であり、サイドミラー格納スイッチのＯＮ／ＯＦＦ状態、ドアハンドル操作状態、車速、サイドブレーキ位置、シフト位置、イグニッション状態、シートベルトラッチ状態、ドアロック状態、フットブレーキ状態、ステアリングハンドル操作状態、ウインドウ状態、運転者の視線方向を撮影するカメラの状態を含む。また、ドア周辺の視界を確保可能な方向とは、ドアの開放軌跡及びその軌跡上にある障害物を視認しやすい降車確認方向、あるいは、車両の降車場所に応じてドアの横面を視認しやすい降車確認方向、あるいは、ドアの下部を視認しやすい降車確認方向などを含む。
【００１５】
また、前記車両状態検知手段は、降車時に操作される降車意思確認スイッチが乗員によって操作されたか否か、あるいは、車両のドアを開閉するためのインナードアハンドルが乗員によって操作されたか否か、あるいは、車両のエンジンを始動させるためのイグニッションが乗員によって操作されたか否か、あるいは、車両を駐車させる際に４輪に制動をかけるサイドブレーキが乗員によって操作されたか否か、あるいは、車両のミッションギア比を変えるためのシフトレバーが所定のポジションにあるか否かを検知することが望ましい。なおこのとき、前記判別手段は、前記車両状態検知手段により検知された車両状態、具体的には前述した各操作等のうち１つまたは複数に基づき、乗員が降車しようとしているか否かを判別する。
【００１６】
また、前記ミラー制御手段は、前記ミラー駆動手段によりサイドミラーの鏡面を動かすと危険であると判断された場合には、前記ミラー駆動手段による駆動を禁止することが望ましい。
【００１７】
ここで、ミラー制御手段は、サイドブレーキがオフ状態となると走行する可能性が高いと判断してミラー駆動を禁止してもよい。また、車速が「０」以外のときは走行中と判断してミラー駆動を禁止してもよい。また、シフト位置がＰ（パーキング）以外となると走行する可能性が高いと判断してミラー駆動を禁止してもよい。また、イグニッションがオン状態となると走行する可能性が高いと判断し、ミラー駆動を禁止してもよい。また、障害物接近検知で行い、他車両等の障害物の接近を検知し、ドア開時に衝突の可能性が高いと判断すると、ミラー駆動を禁止してもよい。また、上記サイドブレーキのオフ状態、車速が「０」以外のとき、シフト位置がＰ（パーキング）以外のとき、イグニッションがオン状態、他車両等の障害物の接近の有無の組み合わせでミラー駆動を禁止するようにしてもよい。
【発明の効果】
【００１８】
本発明では、車両状態検知手段により検知された車両状態に基づいて、判別手段により、乗員が降車しようとしているか否かを判別し、乗員が降車しようとしている判別された場合、ミラー制御手段により、ミラー駆動手段を駆動制御し、サイドミラーの鏡面を、ドア周辺の視界を確保可能な降車確認方向に動かすことで、降車時のドア開放時の視界を確保することが可能である。
【発明を実施するための最良の形態】
【００１９】
以下、本発明の実施の形態を図面に基づいて説明する。
本システムは、車両のドアの開放軌跡及びその軌跡上にある障害物を視認しやすいミラー方向を記憶させておき、乗員が車外へ出ようとする動作を降車動作検出手段により検出して、ミラー駆動手段によりサイドミラーの鏡面を予め記憶させた降車確認方向に動かし、ドア及びドアに衝突しそうな対象物を視認しやすくし、また、乗員が乗車して発車しようとする動作を検出した場合には、サイドミラーを通常の方向に戻すことを特徴としている。
【００２０】
車内に居る乗員がドアを開けて車外へ出る際、及びその予備動作を行った際に、サイドミラーの鏡面をドアが見える降車確認方向に動かすことで、ドアとドア付近の障害物、例えば、歩道の縁石や隣接車両などを乗員が目視で確認でき、ドアが障害物に衝突しないようにドアの開度を調整できる。また、発車時は、特段のスイッチ操作を要することなく、通常方向にミラーに戻すので、煩わしさを感じさせないようになっている。
【００２１】
図１は、本発明の実施形態による車両のミラー駆動制御装置の構成を示すブロック図である。図において、降車動作検出部１は、乗員の降車動作、乗員の乗車（発車）動作を検知するものであり、降車確認ＳＷ（例えば、サイドミラー格納ＳＷ）１−１、ドアハンドル操作検知部１−２、車速検知部１−３、サイドブレーキ位置検知部１−４、シフト位置検知部１−５、イグニッション状態検知部１−６、シートベルトラッチ検知部１−７、ドアロック状態検知部１−８、フットブレーキ状態検知部１−９、ステアリングハンドル操作検知部１−１０、ウインドウ状態検知部１−１１、及び運転者視線方向検知部１−１２を備えている。
【００２２】
降車確認ＳＷ１−１は、乗員が降車する意思があることを明示するためのものであり、例えば、サイドミラーを格納するためのサイドミラー格納ＳＷなどがこれに相当する。ドアハンドル操作検知部１−２は、ドアを開閉するためのドアハンドルが操作されたことを検知する。例えば、静電容量センサや、電波センサなどにより、手の接近や、接触を検知したり、ドアハンドル駆動機構に設置したマイクロスイッチのＯＮ／ＯＦＦによりドアハンドルが引かれたことを検知したりすればよい。
【００２３】
車速検知部１−３は、車両の車速を検知する。例えば、車両に設置した車速パルスセンサや、加速度センサを用いる。車速パルスセンサで車速が「０」でない場合や、加速度センサで垂直方向以外に加速度が発生した場合に走行中とする。サイドブレーキ位置検知部１−４は、サイドブレーキ（パーキングブレーキ）の位置（Ｐ：パーキング位置か、それ以外）を検知する。シフト位置検知部１−５は、シフトレバーの位置を検知する。
【００２４】
イグニッション状態検知部１−６は、イグニッション状態（イグニッションＯＮで発車、イグニッションＯＦＦで停車）を検知する。シートベルトラッチ検知部１−７は、シートベルトが係止されているか外れているかを検知する。ドアロック状態検知部１−８は、車両のドアがロックされているか否かを検知する。フットブレーキ状態検知部１−９は、フットブレーキの状態を検知する。ステアリングハンドル操作検知部１−１０は、ステアリングハンドルの操作を検知する。ウインドウ状態検知部１−１１は、ウインドウの開閉状態を検知する。運転者視線方向検知部１−１２は、車内に配置されたカメラにより運転者の顔を撮影し、撮影したが顔画像から運転者の視線方向や、顔の向きを検知する。
【００２５】
サイドミラー位置記憶装置２は、予め、ドアの開放軌跡及びその軌跡上にある障害物を視認しやすいミラー方向、すなわち降車確認方向を記憶する。サイドミラー制御装置３は、降車動作検出部１からの各種検知信号、スイッチオンオフ信号に従って、乗員が降車しようとする動作、あるいは及びその予備動作があったか否かを判別し、乗員が降車しようとすると、サイドミラー位置記憶装置２に記憶されている降車確認方向にサイドミラーの鏡面を動かすべく、サイドミラー駆動装置４を駆動制御する。
【００２６】
また、サイドミラー制御装置３は、降車動作検出部１からの各種検知信号、スイッチオンオフ信号に従って、乗員が降車しようとする動作、意思がなかったと判別された場合には、サイドミラーの鏡面を通常の方向に戻すべく、サイドミラー駆動装置４を駆動制御する。サイドミラー駆動装置４は、サイドミラー制御装置３による制御に従って、サイドミラーの鏡面を駆動する。
【００２７】
次に、図２（ａ）、（ｂ）は、本実施形態による、ミラー駆動時の視野範囲を示す模式図である。本実施形態では、図２（ａ）に示すように、通常、車両後方の視界範囲１０をカバーする方向に向いているサイドミラーの鏡面の向きを、乗員が降車しようとする動作を検出すると、図示の視界範囲１１をカバーする、ドアの開放軌跡及びその軌跡上にある障害物を視認しやすい降車確認方向に向くように動かす。また、乗員が乗車して発車しようとする動作（あるいは、降車しようとする動作、あるいは意思）を検出した場合には、サイドミラーの鏡面を通常の方向を向くように戻す。
【００２８】
また、本実施形態による別の例としては、通常、図２（ａ）で示す車両後方の視界範囲１０をカバーする方向に向いているサイドミラーの鏡面の向きを、図２（ｂ）に示すように、車両の降車場所に応じて変えて視野範囲１１−１（視野範囲１１と同じ）、１１−２を変えられるようにしてもよい。図２（ｂ）に示すように、例えば、狭い駐車場のように隣接車両にぶつけたくない場合には、ドアの横面が見える視野範囲１１−１となるようにサイドミラーの鏡面の向きを変え（第１の降車確認方向）、また、歩道の縁石などの高さのない障害物に対しては、ドアの下部が見える視野範囲１１−２となるようにサイドミラーの鏡面の向きを変えるようにしてもよい（第２の降車確認方向）。視野範囲１１−１、１１−２のいずれかとするかは、サイドミラーの鏡面の向きを手動で変えるための既存のスイッチにミラー角度を切り換えるための切り換えスイッチを設けることで対応する。
【００２９】
［第１の動作例］
次に、図３は、本実施形態による、車両のミラー駆動制御装置の第１の動作例を説明するためのフローチャートである。本第１の動作例では、降車確認ＳＷ（サイドミラー格納ＳＷ）１−１をＯＮにするか、もしくはインナードアハンドルを握る／引く、もしくはその両方の操作を行ったときに、サイドミラーの鏡面を、降車確認方向へ向くように駆動する。
【００３０】
まず、サイドミラー制御装置３は、降車確認ＳＷ（サイドミラー格納ＳＷ）１−１がＯＮにされたか、もしくはドアハンドル操作検知部１−２の出力からインナードアハンドルが握られたか／引かれたか、もしくはその両方の操作が行われたかの降車動作を確認し（ステップＳ１０）、降車動作があったか否かを判断する（ステップＳ１２）。なお、上記降車動作の確認動作の詳細については後述する。
【００３１】
そして、サイドミラー制御装置３は、降車動作が検知された場合には、サイドミラー位置記憶装置２から降車確認方向データを読み出し、該降車確認方向データに従ってサイドミラー駆動装置４を駆動制御し、サイドミラーの鏡面を降車確認方向（下方向）に向くように駆動する（ステップＳ１４）。一方、降車動作が検知されない場合には、サイドミラーの鏡面を通常方向（後方）に向くように駆動する（ステップＳ１６）。
【００３２】
上述した第１の動作例によれば、サイドミラー制御装置は、サイドミラー制御装置３は、降車確認ＳＷ（サイドミラー格納ＳＷ）１−１がＯＮにされたか、もしくはドアハンドル操作検知部１−２によりインナードアハンドルが握られたか／引かれたか、もしくはその両方の操作が行われた場合に、降車意思があるとして、サイドミラーの鏡面を降車確認方向（下方向）に向くように駆動する。また、降車確認ＳＷ（サイドミラー格納ＳＷ）１−１がＯＦＦであるか、もしくはドアハンドル操作検知部１−２によりインナードアハンドルが操作されていない場合には、降車意思がないとして、サイドミラーの鏡面を通常方向（後方）に向くように駆動する。したがって、ドア開放時の視界を確保することで、乗員が車外の障害物の存在または接近に気付かせることができ、ヒンジドアを開放した時の接触事故を防止することができる。
【００３３】
次に、図４は、本実施形態による、上述した降車動作の確認動作の一例を説明するためのフローチャートである。サイドミラー制御装置３は、降車確認ＳＷ（サイドミラー格納ＳＷ）１−１がＯＮにされたか否かを判断し（ステップＳ１８）、降車確認ＳＷ１−１がＯＮにされた場合には、降車意思フラグを「１」にする（ステップＳ２２）。そして、上述した図３のステップＳ１２に戻る。
【００３４】
一方、降車確認ＳＷ（サイドミラー格納ＳＷ）１−１がＯＮにされていない場合には、ドアハンドル操作検知部１−２の出力からドアハンドルが握られたか／引かれたかを判断し（ステップＳ２０）、ドアハンドルが握られたか／引かれた場合には、上記ステップＳ２２で、降車意思フラグを「１」にした後、上述した図３のステップＳ１２に戻る。
【００３５】
また、降車確認ＳＷ１−１がＯＦＦで、かつ、ドアハンドル操作検知部１−２からドアハンドルも操作されていない場合には、降車意思フラグを「０」にし（ステップＳ２４）、その後、上述した図３のステップＳ１２に戻る。
【００３６】
サイドミラー制御装置３は、上記降車意思フラグの状態で降車動作が検知されたか否かを判別する。すなわち、降車意思フラグが「１」の場合、降車動作が検知されたとし、降車フラグが「０」の場合、降車動作が検知されなかったとする。したがって、この例では、降車確認ＳＷ１−１がＯＮにされるか、あるいは、ドアハンドルが握られたか／引かれた場合に、降車動作があったとして、サイドミラーの鏡面を降車確認方向（下方向）に向くように駆動する。また、降車確認ＳＷ１−１がＯＦＦであり、かつ、ドアハンドルが操作されない場合には、サイドミラーの鏡面を通常方向（後方）に向くように駆動する。
【００３７】
次に、図５は、本実施形態による、上述した降車動作の確認動作の別の例を説明するためのフローチャートである。サイドミラー制御装置３は、降車確認ＳＷ（サイドミラー格納ＳＷ）１−１がＯＮにされたか否かを判断し（ステップＳ３０）、降車確認ＳＷ１−１がＯＮにされた場合には、ドアハンドル操作検知部１−２の出力からドアハンドルが握られたか／引かれたかを判断し（ステップＳ３２）、ドアハンドルが握られたか／引かれた場合には、降車意思フラグを「１」にし（ステップＳ３４）、その後、上述した図３のステップＳ１２に戻る。
【００３８】
一方、降車確認ＳＷ（サイドミラー格納ＳＷ）１−１がＯＦＦの場合、あるいは、ドアハンドルが操作されていない場合には、降車意思フラグを「０」にし（ステップＳ３６）、その後、上述した図３のステップＳ１２に戻る。
【００３９】
サイドミラー制御装置３は、上述した例と同様に、降車意思フラグが「１」の場合、降車動作が検知されたとし、降車フラグが「０」の場合、降車動作が検知されなかったとする。したがって、この例では、降車確認ＳＷがＯＮにされ、かつ、ドアハンドルが握られたか／引かれた場合に、降車動作があったとして、サイドミラーの鏡面を降車確認方向（下方向）に向くように駆動する。また、降車確認ＳＷ（サイドミラー格納ＳＷ）がＯＦＦの場合、あるいは、ドアハンドルが操作されていない場合には、サイドミラーの鏡面を通常方向（後方）に向くように駆動する。
【００４０】
［第２の動作例］
次に、図６は、本実施形態による、車両のミラー駆動制御装置の第２の動作例を説明するためのフローチャートである。本第２の動作例では、車速が「０」で、かつ、サイドブレーキがＯＮのときに（エンジンをかけたまま降車することを想定）、サイドミラーの鏡面を、降車確認方向へ向くように駆動する。
【００４１】
サイドミラー制御装置３は、降車の事前動作として、車速検知部１−３からの出力（車速）と、サイドブレーキ状態検知部１−４からの出力（サイドブレーキが引かれた状態がＯＮ、引かれていない状態がＯＦＦ）とを取得する（ステップＳ４０）。次に、車速が「０」であるか否か、すなわち、停車中であるか否かを判断する（ステップＳ４２）。そして、車速が「０」、すなわち、停車中である場合には、サイドブレーキがＯＮであるか否かを判断する（ステップＳ４４）。
【００４２】
そして、サイドブレーキがＯＮである場合、すなわち、サイドブレーキが引かれている場合には、エンジンをかけたまま降車すると判別して、サイドミラー位置記憶装置２から降車確認方向データを読み出し、該降車確認方向データに従ってサイドミラー駆動装置４を駆動制御し、サイドミラーの鏡面を降車確認方向（下方向）に向くように駆動する（ステップＳ４６）。
【００４３】
一方、車速が「０」でない場合、すなわち、走行中である場合、あるいは、サイドブレーキがＯＦＦの場合、すなわち、降車する意思がない場合には、サイドミラーの鏡面を通常方向（後方）に向くように駆動する（ステップＳ４８）。
【００４４】
上述した第２の動作例によれば、サイドミラー制御装置３は、車速が「０」で、かつ、サイドブレーキがＯＮの場合に、降車意思があるとして、サイドミラーの鏡面を降車確認方向（下方向）に向くように駆動する。また、車速が「０」でない場合、あるいは、サイドブレーキがＯＦＦの場合には、降車意思がないとして、サイドミラーの鏡面を通常方向（後方）に向くように駆動する。
【００４５】
［第３の動作例］
次に、図７は、本実施形態による、車両のミラー駆動制御装置の第３の動作例を説明するためのフローチャートである。本第３の動作例では、車速が「０」で、かつ、サイドブレーキがＯＮで、さらに、降車確認ＳＷがＯＮにされるか、もしくはインナードアハンドルが握られたか／引かれたか、もしくはその両方の操作が行われたとき、サイドミラーの鏡面を、降車確認方向へ向くように駆動する。
【００４６】
サイドミラー制御装置３は、降車の事前動作として、車速検知部１−３の出力（車速）と、サイドブレーキ状態検知部１−４の出力（サイドブレーキが引かれた状態がＯＮ、引かれていない状態がＯＦＦ）とを取得する（ステップＳ５０）。次に、車速が「０」であるか否か、すなわち、停車中であるか否かを判断する（ステップＳ５２）。そして、車速が「０」、すなわち、停車中である場合には、サイドブレーキがＯＮであるか否かを判断する（ステップＳ５４）。
【００４７】
そして、サイドブレーキがＯＮである場合、すなわち、サイドブレーキが引かれている場合には、降車確認ＳＷ（サイドミラー格納ＳＷ）１−１がＯＮにされたか、もしくはドアハンドル操作検知部１−２の出力からインナードアハンドルが握られたか／引かれたか、もしくはその両方の操作が行われたかの降車動作を確認し（ステップＳ５６）、降車動作があったか否かを判断する（ステップＳ５８）。なお、上記降車動作の確認動作は、前述した第１の動作例におけるステップＳ１０（すなわち、図４または図５）と同じものである。
【００４８】
そして、サイドミラー制御装置３は、降車動作が検知された場合には、サイドミラー位置記憶装置２から降車確認方向データを読み出し、該降車確認方向データに従ってサイドミラー駆動装置４を駆動制御し、サイドミラーの鏡面を降車確認方向（下方向）に向くように駆動する（ステップＳ６０）。
【００４９】
一方、サイドミラー制御装置３は、車速が「０」でない場合（走行中）、あるいは、サイドブレーキがＯＦＦの場合、あるいは、降車動作が検知されない場合には、サイドミラーの鏡面を通常方向（後方）に向くように駆動する（ステップＳ６２）。
【００５０】
上述した第３の動作例によれば、車速が「０」で、かつ、サイドブレーキがＯＮで、さらに、降車確認ＳＷがＯＮにされるか、もしくはインナードアハンドルが握られたか／引かれたか、もしくはその両方の操作が行われた場合に、降車意思があるとして、サイドミラーの鏡面を、降車確認方向へ向くように駆動する。また、車速が「０」でない場合、あるいは、サイドブレーキがＯＦＦの場合、あるいは、降車確認ＳＷがＯＦＦであるか、インナードアハンドルが操作されない場合には、降車意思がないとして、サイドミラーの鏡面を通常方向（後方）に向くように駆動する。
【００５１】
［第４の動作例］
次に、図８は、本実施形態による、車両のミラー駆動制御装置の第４の動作例を説明するためのフローチャートである。本第４の動作例では、車速が「０」で、かつ、シフト位置がＰ（パーキング）で、かつ、イグニッションがＯＦＦで、かつ、サイドブレーキがＯＮで、さらに、降車確認ＳＷがＯＮにされるか、もしくはインナードアハンドルが握られたか／引かれたか、もしくはその両方の操作が行われたとき、サイドミラーの鏡面を、降車確認方向へ向くように駆動する。
【００５２】
サイドミラー制御装置３は、降車の事前動作として、車速検知部１−３からの車速と、シフト位置検知部１−５からのシフト位置と、イグニッション位置検知部１−６からのイグニッションのＯＮ／ＯＦＦ状態、サイドブレーキ状態検知部１−４からのサイドブレーキの状態（引かれた状態がＯＮ、引かれていない状態がＯＦＦ）とを取得する（ステップＳ７０）。次に、車速が「０」であるか否か、すなわち、停車中であるか否かを判断する（ステップＳ７２）。
【００５３】
そして、車速が「０」、すなわち、停車中である場合には、シフト位置がＰ（パーキング）であるか否かを判断する（ステップＳ７４）。そして、シフト位置がＰ（パーキング）である場合には、イグニッションがＯＦＦであるか否かを判断する（ステップＳ７６）。イグニッションがＯＦＦである場合には、さらに、サイドブレーキがＯＮであるか否かを判断する（ステップＳ７８）。
【００５４】
そして、サイドブレーキがＯＮである場合、すなわち、サイドブレーキが引かれている場合には、降車確認ＳＷ（サイドミラー格納ＳＷ）１−１がＯＮにされたか、もしくはインナードアハンドルが握られたか／引かれたか、もしくはその両方の操作が行われたかの降車動作を確認し（ステップＳ８０）、降車動作があったか否かを判断する（ステップＳ８２）。なお、上記降車動作の確認動作は、前述した第１の動作例におけるステップＳ１０（すなわち、図４または図５）と同じものである。
【００５５】
そして、サイドミラー制御装置３は、降車動作が検知された場合には、サイドミラー位置記憶装置２から降車確認方向データを読み出し、該降車確認方向データに従ってサイドミラー駆動装置４を駆動制御し、サイドミラーの鏡面を降車確認方向（下方向）に向くように駆動する（ステップＳ８４）。
【００５６】
一方、サイドミラー制御装置３は、車速が「０」でない場合（走行中）、あるいは、シフト位置がＰ（パーキング）以外である場合、あるいは、イグニッションがＯＮである場合、あるいは、サイドブレーキがＯＦＦの場合、あるいは、降車動作が検知されない場合には、サイドミラーの鏡面を通常方向（後方）に向くように駆動する（ステップＳ８６）。
【００５７】
上述した第４の動作例によれば、車速が「０」で、シフト位置がＰ（パーキング）で、かつ、イグニッションがＯＦＦで、かつ、サイドブレーキがＯＮで、さらに、降車確認ＳＷがＯＮにされるか、もしくはインナードアハンドルが握られたか／引かれたか、もしくはその両方の操作が行われた場合に、降車意思があるとして、サイドミラーの鏡面を、降車確認方向へ向くように駆動する。
【００５８】
また、車速が「０」でない場合、あるいは、シフト位置がＰ（パーキング）以外である場合、あるいは、イグニッションがＯＮである場合、あるいは、サイドブレーキがＯＦＦの場合、あるいは、降車確認ＳＷがＯＦＦであるか、インナードアハンドルが操作されない場合には、降車意思がないとして、サイドミラーの鏡面を通常方向（後方）に向くように駆動する。
【００５９】
本第４の動作例によれば、前述した第３の動作例に比べて、発進する可能性が低い状況、すなわち、降車する可能性がより高い状況を精緻に検知することができるので、より確実にサイドミラーの鏡面方向の制御を行うことができる。なお、上述した第４の動作例では、シフト位置がＰ（パーキング）で、かつ、イグニッションがＯＦＦとしたが、どちらか一方のみであってもよい。
【００６０】
［第５の動作例］
次に、図９は、本実施形態による、車両のミラー駆動制御装置の第５の動作例を説明するためのフローチャートである。本第５の動作例では、車速が「０」で、かつ、サイドブレーキがＯＮで、さらに、降車動作として、シートベルトを外したとき、あるいは、フットブレーキを離したとき、あるいは、窓を閉めたとき、あるいは、ドアがアンロックされたとき、あるいは、ステアリングハンドルが離されたとき、あるいは前をみていないとき、サイドミラーの鏡面を、降車確認方向へ向くように駆動する。
【００６１】
サイドミラー制御装置３は、降車の事前動作として、車速検知部１−３からの車速と、サイドブレーキ状態検知部からのサイドブレーキの状態（引かれた状態がＯＮ、引かれていない状態がＯＦＦ）とを取得する（ステップＳ９０）。次に、車速が「０」であるか否か、すなわち、停車中であるか否かを判断する（ステップＳ９２）。そして、車速が「０」、すなわち、停車中である場合には、サイドブレーキがＯＮであるか否かを判断する（ステップＳ９４）。
【００６２】
そして、サイドブレーキがＯＮである場合、すなわち、サイドブレーキが引かれている場合には、シートベルトが外されたか、あるいは、フットブレーキが離されたか、あるいは、窓が閉められたか、あるいは、ドアがアンロックされたか、あるいは、ステアリングハンドルが離されたか、あるいは運転者が前を見ていないかの降車動作を確認する（ステップＳ９６）。なお、該降車動作の詳細については後述する。次に、降車動作があったか否かを判断する（ステップＳ９８）。
【００６３】
そして、サイドミラー制御装置３は、降車動作が検知された場合には、サイドミラー位置記憶装置２から降車確認方向データを読み出し、該降車確認方向データに従ってサイドミラー駆動装置４を駆動制御し、サイドミラーの鏡面を降車確認方向（下方向）に向くように駆動する（ステップＳ１００）。
【００６４】
一方、サイドミラー制御装置３は、車速が「０」でない場合（走行中）、あるいは、サイドブレーキがＯＦＦの場合、あるいは、降車動作が検知されない場合には、サイドミラーの鏡面を通常方向（後方）に向くように駆動する（ステップＳ１０２）。
【００６５】
次に、図１０は、上述した第５の動作例における、降車動作確認動作を説明するためのフローチャートである。サイドミラー制御装置３は、シートベルトラッチ検知部１−７の出力からシートベルトが外されたか否か（ステップＳ１１０）、フットブレーキ状態検知部１−９の出力からフットブレーキが離されたか否か（ステップＳ１１２）、ウインドウ状態検知部１−１１の出力から窓が閉められたか否か（ステップＳ１１４）、ドアロック状態検知部１−８の出力からドアがアンロックされたか否か（ステップＳ１１6）、ステアリングハンドル操作検知部１−１０の出力からステアリングハンドルが離されたか否か（ステップＳ１１８）、あるいは、運転者視線方向検知部１−１２の出力から運転者が前を見ていないか否か（ステップＳ１２０）を判断する。
【００６６】
そして、シートベルトが外された場合、フットブレーキが離された場合、窓が閉められた場合、ドアがアンロックされた場合、ステアリングハンドルが離された場合、あるいは前を見ていない場合には、降車意思があるとして、降車意思フラグを「１」とし（ステップＳ１２２）、図９のステップＳ９８に戻る。
【００６７】
一方、上述した降車動作が１つも検知されなかった場合には、降車意思がないとして、降車意思フラグを「０」とし（ステップＳ１２４）、図９のステップＳ９８に戻る。
【００６８】
サイドミラー制御装置３は、降車意思フラグが「１」の場合、降車動作が検知されたとし、サイドミラーの鏡面を降車確認方向（下方向）に向くように駆動し、降車フラグが「０」の場合、降車動作が検知されなかったとし、サイドミラーの鏡面を通常方向（後方）に向くように駆動する。
【００６９】
上述した第５の動作例によれば、車速が「０」で、かつ、サイドブレーキがＯＮで、さらに、降車動作として、シートベルトが外された場合、あるいは、フットブレーキが離された場合、あるいは、窓が閉められた場合、あるいは、ドアがアンロックされた場合、あるいは、ステアリングハンドルが離された場合、あるいは前をみていない場合に、降車意思があるとして、サイドミラーの鏡面を、降車確認方向へ向くように駆動するようにしたので、降車するまでの動作を網羅することで、降車意思の有無をより確実に判別することができる。
【００７０】
上述した実施形態によれば、ドアの開放軌跡およびその軌跡上にある障害物を視認しやすいミラー位置を記憶させておき、乗員が車外へ出ようとするとその動作を降車意思検出手段により検出して、ミラー駆動手段によりサイドミラーの鏡面を記憶させた位置に動かし、ドアおよびドアに衝突しそうな対象物を視認しやすくしたので、ドアとドア付近の障害物、例えば歩道の縁石や隣接車両を乗員が目視で確認でき、ドアが障害物に衝突しないようにドアの開度を調整できる。また、乗員が乗車して発車しようとする動作を検出した場合にはサイドミラーを通常の位置に戻すようにしたので、発車時は特段のスイッチ操作を要することなく通常位置にミラーが戻るので煩わしさを感じない。
【００７１】
なお、上述した実施形態において、サイドミラー制御装置３は、サイドミラーの鏡面を下向きに駆動させると危険であると判断された場合には、ミラー駆動を禁止するようにしてもよい。
【図面の簡単な説明】
【００７２】
【図１】本発明の実施形態による車両のミラー駆動制御装置の構成を示すブロック図である。
【図２】本実施形態による、ミラー駆動時の視野範囲を示す模式図である。
【図３】本実施形態による、車両のミラー駆動制御装置の第１の動作例を説明するためのフローチャートである。
【図４】上述した第１の動作例における、降車動作確認動作の一例を説明するためのフローチャートである。
【図５】上述した第１の動作例における、降車動作確認動作の別の例を説明するためのフローチャートである。
【図６】本実施形態による、車両のミラー駆動制御装置の第２の動作例を説明するためのフローチャートである。
【図７】本実施形態による、車両のミラー駆動制御装置の第３の動作例を説明するためのフローチャートである。
【図８】本実施形態による、車両のミラー駆動制御装置の第４の動作例を説明するためのフローチャートである。
【図９】本実施形態による、車両のミラー駆動制御装置の第５の動作例を説明するためのフローチャートである。
【図１０】上述した第５の動作例における、降車動作確認動作を説明するためのフローチャートである。
【符号の説明】
【００７３】
１  降車動作検出部
２  サイドミラー位置記憶装置
３  サイドミラー制御装置
４  サイドミラー駆動装置
１−１  降車確認ＳＷ
１−２  ドアハンドル操作検知部
１−３  車速検知部
１−４  サイドブレーキ位置検知部
１−５  シフト位置検知部
１−６  イグニッション状態検知部
１−７  シートベルトラッチ検知部
１−８  ドアロック状態検知部
１−９  フットブレーキ状態検知部
１−１０  ステアリングハンドル操作検知部
１−１１  ウインドウ状態検知部
１−１２  運転者視線方向検知部
【図１】
2009143333.tif 000003
【図２】
2009143333.tif 000004
【図３】
2009143333.tif 000005
【図４】
2009143333.tif 000006
【図５】
2009143333.tif 000007
【図６】
2009143333.tif 000008
【図７】
2009143333.tif 000009
【図８】
2009143333.tif 000010
【図９】
2009143333.tif 000011
【図１０】
2009143333.tif 000012